(57)【要約】  通信装置は、信号の送信電力を制御する送信電力制御部と、信号の送信状態を検出する送信状態検出部と、を備え、通信相手に無線で信号を送信する。送信電力制御部は、送信状態検出部で検出された送信状態に基づいて、送信電力を制御する。これにより、送信電力の最適化を精度良く実行することが可能となる。
2010123022.tif 000002
【特許請求の範囲】
【請求項１】
第１信号を送信して第２信号を受信する第１通信装置と、
前記第２信号を送信して前記第１信号を受信する第２通信装置と、を備える通信システムであって、
前記第１通信装置が、
前記第１信号の送信電力である第１送信電力を制御する第１送信電力制御部を備え、
前記第２通信装置が、
受信した前記第１信号の状態を判定して第１送信電力用情報を生成する第２状態判定部と、
前記第１送信電力用情報を含む前記第２信号を生成する第２信号生成部と、を備え、
前記第１送信電力制御部が、受信された前記第２信号から前記第１送信電力用情報を取得するとともに、当該第１送信電力用情報に基づいて前記第１送信電力を制御することを特徴とする通信システム。
【請求項２】
前記第１送信電力制御部が、送信する前記第１信号の状態に基づいて前記第１送信電力を調整することを特徴とする請求項１に記載の通信システム。
【請求項３】
前記第１送信電力用情報が、前記第１送信電力を増大させる要求または減少させる要求を示し得るものであり、
前記第１送信電力制御部が、前記第１送信電力用情報によって示される要求にしたがって、前記第１送信電力を制御することを特徴とする請求項１に記載の通信システム。
【請求項４】
前記第１送信電力制御部が、前記第１送信電力を所定の段階毎に制御することを特徴とする請求項１に記載の通信システム。
【請求項５】
前記第１通信装置が、
受信した前記第２信号の状態を判定して第２送信電力用情報を生成する第１状態判定部と、
前記第２送信電力用情報を含む前記第１信号を生成する第１信号生成部と、をさらに備え、
前記第２通信装置が、
前記第２信号の送信電力である第２送信電力を制御する第２送信電力制御部をさらに備え、
前記第２送信電力制御部が、受信された前記第１信号から前記第２送信電力用情報を取得するとともに、当該第２送信電力用情報に基づいて前記第２送信電力を制御することを特徴とする請求項１に記載の通信システム。
【請求項６】
通信相手に無線で信号を送信する通信装置であって、
前記信号の送信電力を制御する送信電力制御部と、
前記信号の送信状態を検出する送信状態検出部と、を備え、
前記送信電力制御部が、前記送信状態に基づいて前記送信電力を制御することを特徴とする通信装置。
【発明の詳細な説明】
【技術分野】
【０００１】
本発明は、信号を送信する通信装置や、当該通信装置を備えた通信システムに関するものである。
【背景技術】
【０００２】
近年、無線で信号の送受信を行う通信装置が、種々の電子機器に搭載されている。このような通信装置の中には、例えば、送信信号の電力（以下、送信電力とする）を自動的に調整して最適化を図るものがある（特許文献１参照）。【０００３】
図３を参照して、上記従来の通信装置の構成について説明する。図３は、従来の通信装置の構成について示すブロック図である。図３に示すように、通信装置１００は、送信データを変調する変調部１０１と、変調部１０１で変調された信号を増幅する送信側増幅部１０２と、送信側増幅部１０２から出力される信号に所定の周波数の信号を混合する送信側混合部１０３と、送信側混合部１０３に所定の周波数の信号を入力する送信側発振部１０４と、送信側混合部１０３から出力される信号から所定の周波数成分以外を濾波して出力する送信側バンドパスフィルタ（ＢＰＦ）１０５と、送信側ＢＰＦ１０５から出力される信号を増幅する自動増幅部１０６と、自動増幅部１０６やアンテナ１０８（後述）から入力される信号から所定の周波数成分以外を濾波して出力するアンテナ用ＢＰＦ１０７と、アンテナ用ＢＰＦ１０７を介して自動増幅部１０６から入力される信号（送信信号）を無線送信するとともに通信相手から送信された信号（受信信号）を受信するアンテナ１０８と、アンテナ用ＢＰＦ１０７を介してアンテナ１０８から入力される信号を増幅する受信側増幅部１０９と、受信側増幅部１０９から出力される信号に所定の周波数の信号を混合する受信側混合部１１０と、受信側混合部１１０に所定の周波数の信号を入力する受信側発振部１１１と、受信側混合部１１０から出力される信号から所定の周波数成分以外を濾波して出力する受信側ＢＰＦ１１２と、受信側ＢＰＦ１１２から出力される信号を復調して受信データを得る復調部１１３とを備える。【０００４】
また、通信装置１００は、受信側ＢＰＦ１１２から出力される信号の電力（即ち、受信信号に起因する電力、以下、受信電力とする）に基づいて自動増幅部１０６における増幅度の設定を行う増幅度設定部１１４を備える。増幅度設定部１１４は、受信電力に基づいて自動増幅部１０６における増幅度を設定し、送信電力の最適化を図る。即ち、通信装置１００では、受信信号と送信信号の状態が同様のものであるとみなし、受信電力に基づいて送信電力を制御する。
【先行技術文献】
【特許文献】
【０００５】
【特許文献１】特開２００２−２１７８４４号公報
【発明の概要】
【発明が解決しようとする課題】
【０００６】
しかしながら、上述した従来の通信装置１００では、受信信号と送信信号の状態が異なる（それぞれの信号の伝送路状態が異なる）と、送信電力の最適化を図ることが困難になる。【０００７】
具体的に例えば、自機の送信状態（自機から通信相手への伝送路状態）が良好であるにもかかわらず、通信相手の送信状態（通信相手から自機への伝送路状態）が劣悪である場合、自動増幅部１０６が送信信号を不必要に増幅して送信電力を大きくしてしまう。このような場合、消費電力が不必要に大きくなるだけでなく、通信装置１００と略同一のチャネル（周波数帯）を使用して通信を行っている他の通信システムに対して干渉を生じやすくなるため、問題となる。【０００８】
また反対に、自機の送信状態が劣悪であるにもかかわらず、通信相手の送信状態が良好である場合、自動増幅部１０６が送信信号をあまり増幅せずに送信電力を小さくしてしまう。このような場合、自機の送信状態がさらに劣悪になるため、最終的に通信相手が受信不能に陥ることが生じ得るため、問題となる。【０００９】
以上の状況は、送信と受信とで使用するチャネルが異なるなど、送信及び受信の状態に何らかの差異がある場合に生じやすい。また、このような差異は、通信装置の動作において当然に発生し得るものである。【００１０】
また、上述のように受信電力などの何らかのパラメータに基づいて送信電力を決定する場合、最適化が困難となるばかりか、その関連性を出荷前に調査する必要が生じる。特に、最適化の精度を向上させるためには種々のケースを想定して評価試験を多数回行う必要があり、煩雑なものとなる。【００１１】
そこで本発明は、送信電力の最適化を精度良く実行可能とする通信装置や、当該通信装置を備える通信システムを提供することを目的とする。
【課題を解決するための手段】
【００１２】
上記目的を達成するために本発明の通信システムは、第１信号を送信して第２信号を受信する第１通信装置と、前記第２信号を送信して前記第１信号を受信する第２通信装置と、を備える通信システムにおいて、前記第１通信装置が、前記第１信号の送信電力である第１送信電力を制御する第１送信電力制御部を備え、前記第２通信装置が、受信した前記第１信号の状態を判定して第１送信電力用情報を生成する第２状態判定部と、前記第１送信電力用情報を含む前記第２信号を生成する第２信号生成部と、を備え、前記第１送信電力制御部が、受信された前記第２信号から前記第１送信電力用情報を取得するとともに、当該第１送信電力用情報に基づいて前記第１送信電力を制御することを特徴とする。【００１３】
なお、以下の実施形態では、第１信号及び第２信号の一例として送信信号や受信信号を挙げ、送信電力制御部の一例として自機側送信電力設定部や増幅度設定部を挙げ、送信電力用情報の一例として判定情報や要求情報を挙げ、状態判定部の一例として相手側送信状態判定部やメモリ、相手側送信電力要求部、合成データ生成部を挙げ、信号生成部の一例として送信データ生成部や送信データ合成部、変調部、送信側増幅部、送信側混合部、送信側発振部、送信側ＢＰＦ、自動増幅部、アンテナ用ＢＰＦを挙げて、それぞれ説明している。【００１４】
また、上記構成の通信システムにおいて、前記第１送信電力制御部が、送信する前記第１信号の状態に基づいて前記第１送信電力を調整することが好ましい。【００１５】
このように構成すると、第１信号を構成する送信データの形式や変調方式などの各種状態に応じて、第１送信電力を調整することが可能となる。例えば、データ量が大きいなど送信が困難になると見込まれる場合に、第１送信電力を、第１送信電力用情報に基づいて求められる最低限必要な送信電力よりも十分大きくなるようにしても（マージンを大きくしても）構わない。【００１６】
また、上記構成の通信システムにおいて、前記第１送信電力用情報が、前記第１送信電力を増大させる要求または減少させる要求を示し得るものであり、前記第１送信電力制御部が、前記第１送信電力用情報によって示される要求にしたがって、前記第１送信電力を制御することが好ましい。また、上記構成の通信システムにおいて、前記第１送信電力制御部が、前記第１送信電力を所定の段階毎に制御することが好ましい。【００１７】
このように構成すると、簡易的に第１送信電力を制御することが可能となる。【００１８】
また、上記構成の通信システムにおいて、前記第２状態判定部が、受信した前記第１信号の誤りに基づいて前記第１信号の状態を判定しても構わない。特に、前記第２状態判定部が、受信した前記第１信号のＢＥＲに基づいて第１信号の状態を判定しても構わない。【００１９】
このように構成すると、第１通信装置が、第２通信装置で受信された第１信号の誤りに基づいて第１送信電力を制御することが可能となる。そのため、第２通信装置が受信する第１信号に誤りが発生することを、効果的に抑制することが可能となる。【００２０】
また、上記構成の通信システムにおいて、前記第１通信装置が、前記第１送信電力用情報を記憶する記憶部をさらに備え、前記第１通信装置と前記第２通信装置との通信が一時的に不能になった後に再開する場合に、前記第１送信電力制御部が、前記記憶部に記憶されている前記第１送信電力用情報に基づいて前記第１送信電力を設定することとしても構わない。【００２１】
このように構成すると、再開時に設定される第１送信電力を、適切な大きさにすることが可能となる。【００２２】
また、上記構成の通信システムにおいて、前記第１通信装置と前記第２通信装置との通信が所定の時間以上不能となった後に再開する場合及び通信を確立する場合の少なくとも一方の場合に、前記第１送信電力制御部が、前記第１送信電力を最大にしても構わない。【００２３】
このように構成すると、第２通信装置が第１信号を受信する可能性を高めることが可能となる。【００２４】
また、上記構成の通信システムにおいて、前記第１通信装置が、受信した前記第２信号の状態を判定して第２送信電力用情報を生成する第１状態判定部と、前記第２送信電力用情報を含む前記第１信号を生成する第１信号生成部と、をさらに備え、前記第２通信装置が、前記第２信号の送信電力である第２送信電力を制御する第２送信電力制御部をさらに備え、前記第２送信電力制御部が、受信された前記第１信号から前記第２送信電力用情報を取得するとともに、当該第２送信電力用情報に基づいて前記第２送信電力を制御することが好ましい。【００２５】
このように構成すると、第１通信装置だけでなく、第２通信装置も第２送信電力の制御を行うこととなる。そのため、それぞれの信号や送信電力用情報を確実に通信することが可能となる。【００２６】
また、本発明の通信装置は、通信相手に無線で信号を送信する通信装置であって、前記信号の送信電力を制御する送信電力制御部と、前記信号の送信状態を検出する送信状態検出部と、を備え、前記送信電力制御部が、前記送信状態に基づいて前記送信電力を制御することを特徴とする。
【発明の効果】
【００２７】
本発明の通信システムによると、第１通信装置の送信電力が、第１信号の状態に基づいて設定される。即ち、第１通信装置から第２通信装置への伝送路状態に基づいて、第１通信装置の第１送信電力が制御される。そのため、第１信号の状態を直接的に第１送信電力の大きさにフィードバックすることが可能となり、精度良く第１送信電力の最適化を図ることが可能となる。したがって、他の通信システムに干渉したり、第２通信装置が受信不能となったりすることを抑制することが可能となる。また、本発明の通信装置によると、送信電力の最適化を精度良く実行することが可能となる。
【図面の簡単な説明】
【００２８】
【図１】は、本発明の実施形態に係る通信装置の構成について示すブロック図である。
【図２】は、本発明の実施形態に係る通信装置の動作の一例について示すフローチャートである。
【図３】は、従来の通信装置の構成について示すブロック図である。
【発明を実施するための形態】
【００２９】
最初に、本発明の実施形態に係る通信装置の構成及び各部の動作について図１を参照して説明する。図１は、本発明の実施形態に係る通信装置の構成について示すブロック図である。なお、以下では説明の具体化のために、本発明の通信装置が無線伝送テレビシステムに備えられる場合について説明する。
【００３０】
無線伝送テレビシステムは、画像を表示したり音声を再生したりするディスプレイ部と、放送を受信したり記録媒体から読み出したりすることで取得した動画などのデータをディスプレイ部で表示可能なデータへと変換してディスプレイ部へ無線送信するビデオソース部とを備える。図１に示す通信装置１は、ディスプレイ部及びビデオソース部のいずれにも備えることができるが、以下ではビデオソース部に備えられる場合を一例として挙げて説明する。
【００３１】
＜通信装置の構成及び各部動作＞
図１に示すように、通信装置１は、送信データを変調する変調部２と、変調部２で変調された信号を増幅する送信側増幅部３と、送信側増幅部３から出力される信号に所定の周波数の信号を混合する送信側混合部４と、送信側混合部４に所定の周波数の信号を入力する送信側発振部５と、送信側混合部４から出力される信号から所定の周波数成分以外を濾波して出力する送信側ＢＰＦ６と、送信側ＢＰＦ６から出力される信号を増幅する自動増幅部７と、自動増幅部７やアンテナ９（後述）から入力される信号から所定の周波数成分以外を濾波して出力するアンテナ用ＢＰＦ８と、アンテナ用ＢＰＦ８を介して自動増幅部７から入力される信号（送信信号）を無線送信するとともに通信相手から送信された信号（受信信号）を受信するアンテナ９と、アンテナ用ＢＰＦ８を介してアンテナ９から入力される信号を増幅する受信側増幅部１０と、受信側増幅部１０から出力される信号に所定の周波数の信号を混合する受信側混合部１１と、受信側混合部１１に所定の周波数の信号を入力する受信側発振部１２と、受信側混合部１１から出力される信号から所定の周波数成分以外を濾波して出力する受信側ＢＰＦ１３と、受信側ＢＰＦ１３から出力される信号を復調して受信データを得る復調部１４とを備える。
【００３２】
また、通信装置１は、復調部１４で得られる受信データの状態に基づいて通信相手から自機への送信状態を判定して判定情報を出力する相手側送信状態判定部１５と、相手側送信状態判定部１５から出力される判定情報を記憶するメモリ１６と、メモリ１６に記憶された判定情報に基づいて通信相手が送信する信号（受信信号）の送信電力に対する要求情報を生成する相手側送信電力要求部１７と、相手側送信電力要求部１７から出力される要求情報を含む合成データを生成する合成データ生成部１８と、送信データを生成する送信データ生成部１９と、送信データ生成部１９で生成される送信データに合成データを合成して変調部２に合成後の送信データを出力する送信データ合成部２０とを備える。
【００３３】
また、通信装置１は、復調部１４で得られた受信データの中から通信相手が生成した自機の送信信号の送信電力に対する要求情報を取得する自機側送信電力要求取得部２１と、送信データ生成部１９で生成された送信データの形式を取得するデータ形式取得部２２と、自機側送信電力要求取得部２１で取得された要求情報とデータ形式取得部２２で取得された送信データの形式とに基づいて通信装置１の送信電力の設定を行う自機側送信電力設定部２３と、自機側送信電力設定部２３で設定された送信電力が実現されるように自動増幅部７の増幅度を設定する増幅度設定部２４とを備える。
【００３４】
次に、図１に示した通信装置１の各部の動作について説明する。通信装置１は、まず変調部２が、データ合成部２０から出力される送信データ（詳細は後述）を所定の変調方式で変調する。なお、送信データを変調する前に誤り訂正符号化（例えば、リード・ソロモン符号化やハミング符号化などに代表されるブロック符号化で外符号化を行い、ビタビアルゴリズムやターボ符号化などに代表される畳み込み符号化で内符号化を行う連接符号化）を行っても構わない。
【００３５】
変調部２から出力される変調後の信号は、送信側増幅部３で増幅され、送信側混合部４に入力される。送信側混合部４は、送信側増幅部３から入力される信号の周波数に送信側発振部５から入力される信号の周波数が加算された周波数成分と、減算された周波数成分とを備える信号を出力する。送信側ＢＰＦ６は、これらのうち加算された周波数成分を通過させて他の周波数成分を濾波する。このようにして、ＲＦ（Radio  Frequency）への周波数変換（アップコンバート）が行われる。なお、送信側発振部５が出力する信号の周波数を適宜変更することで、送信チャネルを変更することができる。
【００３６】
送信側ＢＰＦ６から出力される信号は、自動増幅部７で増幅されて、アンテナ用ＢＰＦ８に入力される。このとき、自動増幅部７は、増幅度設定部２４で設定される増幅度により増幅を行う。なお、増幅後設定部２４による増幅度の設定方法の詳細については、後述する。
【００３７】
アンテナ用ＢＰＦ８は、自動増幅部７から入力される信号から、本来的に送信信号に含まれるはずがない周波数成分（ノイズ成分など）を濾波し、送信信号としてアンテナ９に出力する。そして、アンテナ９は入力される送信信号を空中へと放射して、通信相手に無線送信する。
【００３８】
また、アンテナ９は、通信相手から無線送信される受信信号を受信して、アンテナ用ＢＰＦ８に出力する。アンテナ用ＢＰＦ８は、アンテナ９から入力される受信信号から、本来的に受信信号に含まれるはずがない周波数成分（ノイズ成分など）を濾波して受信側増幅部１０に出力する。
【００３９】
受信側増幅部１０は、入力される信号を増幅して受信側混合部１１に入力する。受信側混合部１１は、受信側増幅部１０から入力される信号の周波数から受信側発振部１２が入力する信号の周波数が減算された周波数成分と、加算された周波数成分とを備える信号を出力する。受信側ＢＰＦ１３は、これらのうち減算された周波数成分を通過させて他の周波数成分を濾波する。このようにして、ＩＦ（Intermediate Frequency）への周波数変換（ダウンコンバート）が行われる。なお、受信側発振部１２が出力する信号の周波数を適宜変更することで、受信チャネルを変更することができる。
【００４０】
受信側ＢＰＦ１３から出力される信号は、復調部１４に入力される。復調部１４は、通信相手が変調に用いた変調方式に応じた復調方式を用いて復調し、受信データを得る。また復調部１４は、通信相手が誤り訂正符号化を行っている場合、この符号化方法に応じた復号化方法を用いて受信データの復号化を行い、誤り訂正後の受信データを出力する。なお、通信装置１は、出力される受信データを種々の目的のために使用する。
【００４１】
相手側送信状態判定部１５は、復調部１４で得られる受信データに基づいて、相手側の送信状態（通信相手から自機への伝送路状態）を判定して判定情報を生成し、出力する。例えば、受信データの誤り訂正を行う際に副次的に算出可能なＢＥＲ（Bit  Error  Rate）を利用して、判定を行う。この場合、ＢＥＲが大きい（誤りとみなされたビットが多い）ほど、相手側の送信状態が劣悪であることを示す判定情報が生成される。なお、得られるＢＥＲの時間平均値を、判定情報としても構わない。
【００４２】
相手側送信状態判定部１５は、常にまたは所定の時間間隔で相手側の送信状態の監視を行い、順次判定情報を出力する。順次出力される判定情報は、メモリ１６に入力されて順次記憶される。そして、相手側送信電力要求部１７が、メモリ１６に記憶される判定情報に基づいて、通信相手の送信電力に対する要求を示す要求情報を生成する。
【００４３】
例えば、相手側送信電力要求部１７が上記の例のようにＢＥＲを用いた判定情報に基づいて要求情報を生成する場合、ＢＥＲの値が大きければ、通信相手に対して送信電力の増大を要求する要求情報を生成する。一方、ＢＥＲの値がエラーフリーとみなせるほど小さければ（例えば、上記の連接符号化が施された受信データにおいて、内符合復号時のＢＥＲの値が２×１０-4以下であれば）、通信相手に対して送信電力の抑制を要求する要求情報を生成する。なお、ＢＥＲがこれらの間の状態であれば、要求情報を生成しない、または、送信電力の維持を要求する要求情報を生成しても構わない。
【００４４】
合成データ生成部１８は、要求情報と通信相手に送信する他のデータとを合わせることで、合成データを生成する。そして、送信データ合成部２０が、送信データ生成部１９で生成される送信データ（例えば、ディスプレイ部で表示する動画のデータ）に合成データ合成し、合成後の送信データを変調部２に出力する。
【００４５】
また、通信相手も自機と同様に、図１の相手側送信状態判定部１５、メモリ１６、相手側送信強度要求部１７、合成データ生成部１８及び送信データ合成部２０に相当する構成を備えており、自機の送信電力に対する要求情報を生成し、受信信号（通信相手が送信する信号）に含ませることとする。なお、通信相手がこれらの全てを備えていなくても構わないが、少なくとも図１の相手側送信状態判定部１５に相当する構成を備え、自機に対して自機の送信状態（例えば判定情報、ＢＥＲ）を通知するものとする。この場合、自機の自機側送信電力要求取得部２１が、通信相手から通知された送信状態に基づいて要求情報を生成しても構わないし、自機の自機側送信電力設定部２３が、通信相手から通知された送信状態に基づいて自機の送信電力の大きさを制御しても構わない。
【００４６】
自機側送信電力要求取得部２１は、通信相手が生成した要求情報を、受信データから取得する。そして、取得した要求情報を自機側送信電力設定部２３に入力する。また、データ形式取得部２２は、送信データ生成部１９で生成される送信データの形式（例えば、データ量や圧縮方式など）を取得して、自機側送信電力設定部２３に入力する。
【００４７】
自機側送信電力設定部２３は、原則的に自機側送信電力要求取得部２１で取得される要求情報に基づいて、自機の送信電力の大きさの制御を行う。自機の送信電力を大きくする要求情報が入力されれば、自機の送信電力を大きくするために、増幅度設定部２４に増幅度を大きくする指示を出力する。反対に、自機の送信電力を小さくする要求情報が入力されれば、増幅度設定部２４に増幅度を小さくするための指示を出力する。
【００４８】
さらに、自機側送信電力設定部２３は、データ形式に基づいて自機の送信電力の調整を行う。例えば、送信データのデータ量が大きいなど（画質が高精細画質である、圧縮率が低いなど）、送信電力を大きくして確実な送信を行うと好適であると見込まれる場合、上記の要求情報に基づいて求められる最低限必要な大きさから十分大きい（マージンを大きくした）送信電力となるようにする。一方、送信信号のデータ量が小さいなど、送信電力を大きくする必要がないと見込まれる場合、最低限必要な大きさに近い（マージンを小さくした）送信電力となるようにする。
【００４９】
また、自機側送信電力設定部２３は、送信データの形式に加えて（または代えて）、変調部２による変調方式に基づいて上記のマージンを制御することも可能である。例えば、伝送レートが大きいほどマージンを大きくしても構わない。なお、送信信号のデータ量が大きいほど伝送レートを大きくするなどのように、データ形式と変調方式とが連動している場合、データ形式及び変調方式のどちらに基づいて調整を行っても構わない。
【００５０】
以上のように構成すると、通信装置１の送信電力が、通信装置１が送信した送信信号の状態に基づいて設定される。換言すると、自機から通信相手への伝送路状態に基づいて、自機の送信電力が制御される。そのため、送信信号の状態を直接的に送信電力の大きさにフィードバックすることが可能となり、精度良く送信電力の最適化を図ることが可能となる。したがって、他の通信システムに干渉したり、通信相手が受信不能となったりすることを抑制することが可能となる。
【００５１】
また同様に、送信データに通信相手の送信電力に対する要求情報を含ませることで、通信相手の送信電力の最適化を図ることも可能となる。したがって、双方の送信電力の最適化を図ることが可能となり、安定した通信を行うことが可能となる。
【００５２】
また、送信データのデータ形式に基づいて送信電力の調整を行うことで、より安定した送信を行うことが可能となる。特に、データ量が多いときに送信電力のマージンを大きくすることで、通信相手が受信不能となることを効果的に抑制することが可能となる。
【００５３】
また、送信信号のＢＥＲに基づいて送信信号の状態を判定することによって、信号の誤りに基づいた送信電力の制御を行うことが可能となる。そのため、通信相手が受信する送信信号に誤りが発生することを効果的に抑制することが可能となる。
【００５４】
なお、本例の通信装置１は、ビデオソース部に備えられる場合を想定しているため、送信データの一例として動画のデータを挙げているが、送信データをどのようなものにしても構わない。例えば、通信装置１がディスプレイ部に備えられる場合、受光部を備えたディスプレイ部を介してビデオソース部に送信されるリモコンの入力指示（リモコンコード）を送信データとしても構わないし、送信信号を正常に受信したことをビデオソース部に対して応答するＡＣＫ（ACKnowledgement）や再送要求信号などを送信データとしても構わない。
【００５５】
また、通信を行う通信装置のそれぞれが上述した送信電力の最適化を行うと、それぞれの送信信号や要求情報を確実に通信することが可能となり、他の通信システムへの干渉や通信不能となることをさらに効果的に抑制することが可能となるため、好ましい。
【００５６】
ただし、構成の簡略化などのために、上述した送信電力の最適化を一方の通信装置のみが行うこととしても構わない。この場合、上述した送信電力の最適化を行う一方の通信装置１が、相手側送信状態判定部１５やメモリ１６、相手側送信電力要求部１７を備えないこととして、上述した送信電力の最適化を行わない（例えば、別の方法で最適化を行う）他方の送信装置１が、自機側送信電力要求取得部２１やデータ形式取得部２２を備えないこととしても構わない。
【００５７】
また、自機側送信電力設定部２３及び増幅度設定部２４によって設定され得る増幅度を、段階的に設定可能としても構わない。例えば、設定し得る最大の増幅度と、それよりも３ｄＢ以上低い増幅度と、これらの間を複数に分割した各ステップと、のいずれかを取り得るように構成しても構わない。
【００５８】
このように構成すると、増幅度を段階的に制御することが可能となる。さらに、要求情報を段階的に指示するもの（例えば、ステップの上下、送信電力の増減のみの指示）とすると、構成の簡略化を図ることが可能となる。
【００５９】
＜通信動作＞
次に、通信装置１の通信動作の一例について図１及び図２を参照して説明する。図２は、本発明の実施形態に係る通信装置の通信動作の一例について示すフローチャートである。なお、以下では、図１に示した通信装置１同士が通信を行う場合を例に挙げて説明する。
【００６０】
本例の通信方法では、図２に示す通信動作に先立って、通信の確立を行う。具体的に例えば、一方の通信装置１が通信相手となる他方の通信装置１を探し出すとともに、通信に使用するチャネルの決定などを行う。
【００６１】
まず、一方の通信装置１が、送信に使用しようとするチャネルが他の通信システムによって使用されていない（空チャネルである）ことを確認するために、キャリアセンスを行う。具体的に例えば、一方の通信装置１は、所定のチャネルの信号を受信して信号が検出されない（受信電力が所定の値以下である）ことを確認することで、空チャネルの確認を行う。
【００６２】
一方の通信装置１は、確認した空チャネルを用いるとともに、他方の通信装置が送信信号を受信する可能性を高めるために送信電力を最大にして送信信号を送信する。他方の通信装置１がこの送信信号を受信すると、一方の通信装置１に対して所定のチャネルを用いてＡＣＫを送信する。そして、一方の通信装置１がこのＡＣＫを受信して確認することで、通信の確立が行われる。
【００６３】
通信が確立されると、通信装置１は図２に示す通信動作を開始する。図２に示す通信動作は、一方の通信装置１及び他方の通信装置１において繰り返し行われ得るものである。なお、図２では受信信号の受信を一連の動作の起点としている。
【００６４】
図２に示すように、通信装置１（一方及び他方の通信装置、以下同じ）は、アンテナ９で受信信号を受信し（ＳＴＥＰ１）、復調部１４で受信信号を復調して受信データを得る（ＳＴＥＰ２）。
【００６５】
通信装置１は、ＳＴＥＰ２によって受信データを得ると、当該受信データを用いて、通信相手の送信電力に対する要求情報を含む信号の生成（ＳＴＥＰ１０〜ＳＴＥＰ１５）と、自機の送信電力の設定（ＳＴＥＰ２０〜ＳＴＥＰ２３）と、のそれぞれを行う。
【００６６】
通信相手の送信電力に対する要求を行うために、まず、相手側送信状態判定部１５が、受信データのＢＥＲを用いるなどして、通信相手から自機への送信状態を判定する（ＳＴＥＰ１０）。また、判定により生成される判定情報をメモリ１６に記憶する（ＳＴＥＰ１１）。そして、相手側送信電力要求部１７が、メモリ１６に記憶された判定情報に基づいて要求情報を生成し（ＳＴＥＰ１２）、合成データ生成部１８が当該要求情報を含む合成データを生成する（ＳＴＥＰ１３）。さらに、送信データ合成部２０が、送信データ生成部１９が生成した送信データに合成データを合成し（ＳＴＥＰ１４）、変調部２が、要求情報が合成された送信データを変調する（ＳＴＥＰ１５）。以上の一連の動作により、通信相手の送信電力に対する要求情報を含む信号が生成される。
【００６７】
一方、自機の送信電力の設定を行うために、まず、自機側送信電力要求取得部２１が、受信データに含まれる自機の送信電力に対する要求情報（通信相手が生成したもの）を取得する（ＳＴＥＰ２０）。また、データ形式取得部２２が、自機が送信する送信データのデータ形式を取得する（ＳＴＥＰ２１）。そして、自機側送信電力設定部２３が、ＳＴＥＰ２０で取得される要求情報とＳＴＥＰ２１で取得されるデータ形式とに基づいて送信電力の大きさを設定し（ＳＴＥＰ２２）、増幅度設定部２４が自動増幅部７の増幅度を設定する（ＳＴＥＰ２３）。以上の一連の動作により、自機の送信電力が設定される。
【００６８】
また、ＳＴＥＰ１５で生成した通信相手の送信電力に対する要求情報を含む信号に種々の処理を施し、送信信号を生成する（ＳＴＥＰ３０）。このとき、自動増幅部７がＳＴＥＰ２３で設定された増幅度で信号を増幅して、送信電力の最適化を図る。そして、ＳＴＥＰ３０で生成した送信信号を、アンテナ９より送信する（ＳＴＥＰ３１）。
【００６９】
以上の動作が、一方及び他方の通信装置１において繰り返し行われる。そのため、例えば上述のように通信の開始時の送信電力を最大にしたとしても、必要がなければ送信電力は抑制され、最適化が図られる。
【００７０】
なお、通信を確立した後に、電源の切断や通信障害などによって一時的な通信不能に陥った場合、通信が回復して再開する際に、これまで設定されていた送信電力を用いて送信を行っても構わない。このとき、自機側送信電力要求取得部２１で設定される要求情報をメモリ１６などに記憶する構成として、再開時にメモリ１６などから要求情報を読み出して送信電力を設定しても構わない。また同様に、自機側送信電力設定部２３で設定する送信電力や、増幅度設定部２４で設定する増幅度などをメモリ１６に記憶しても構わない。このように構成すると、通信を再開するときの送信電力を適切なものにすることが可能となる。
【００７１】
また、通信不能な状態が所定の時間以上継続した場合や、再度通信を確立する場合に、メモリ１６に記憶している要求情報などによらず（例えば破棄して）、送信電力を最大にして通信の確立を試みることとしても構わない。このように構成すると、通信相手が送信信号を受信する可能性を高めることが可能となる。
【００７２】
＜変形例＞
なお、本発明の実施形態における通信装置１が備える各部（例えば、相手側送信状態判定部１５や相手側送信電力要求部１７、自機側送信電力要求部２１、自機側送信電力設定部２３など）の動作を、マイコンなどの制御装置が行うこととしても構わない。さらに、このような制御装置によって実現される機能の全部または一部をプログラムとして記述し、当該プログラムをプログラム実行装置（例えばコンピュータ）上で実行することによって、その機能の全部または一部を実現するようにしても構わない。
【００７３】
また、上述した場合に限らず、図１の通信装置１は、ハードウェア、あるいは、ハードウェア及びソフトウェアの組み合わせによって実現可能である。また、ソフトウェアを用いて通信装置１の一部を構成する場合、ソフトウェアによって実現される部位についてのブロック図は、その部位の機能ブロック図を表すこととする。
【００７４】
以上、本発明の実施形態についてそれぞれ説明したが、本発明の範囲はこれに限定されるものではなく、発明の主旨を逸脱しない範囲で種々の変更を加えて実行することができる。
【産業上の利用可能性】
【００７５】
本発明は、信号を送信する通信装置や、当該通信装置を備えた通信システムに関するものであり、無線伝送テレビシステムのディスプレイ部やビデオソース部などに備えることとすると好適である。
【符号の説明】
【００７６】
１    通信装置
２    変調部
３    送信側増幅部
４    送信側混合部
５    送信側発振部
６    送信側ＢＰＦ
７    自動増幅部
８    アンテナ用ＢＰＦ
９    アンテナ
１０  受信側増幅部
１１  受信側混合部
１２  受信側発振部
１３  受信側ＢＰＦ
１４  復調部
１５  相手側送信状態判定部
１６  メモリ
１７  相手側送信電力要求部
１８  合成データ生成部
１９  送信データ生成部
２０  送信データ合成部
２１  自機側送信電力要求取得部
２２  データ形式取得部
２３  自機側送信電力設定部
２４  増幅度設定部
【図１】
2010123022.tif 000003
【図２】
2010123022.tif 000004
【図３】
2010123022.tif 000005
【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
第１信号を送信して第２信号を受信する第１通信装置と、
前記第２信号を送信して前記第１信号を受信する第２通信装置と、を備える通信システムにおいて、
前記第１通信装置が、
前記第１信号の送信電力である第１送信電力を制御する第１送信電力制御部を備え、
前記第２通信装置が、
受信した前記第１信号の状態をＢＥＲ（Bit Error Rate）を利用して判定して第１送信電力用情報を生成する第２状態判定部と、
前記第１送信電力用情報を含む前記第２信号を生成する第２信号生成部と、を備え、
前記第１送信電力制御部が、受信された前記第２信号から前記第１送信電力用情報を取得するとともに、当該第１送信電力用情報に基づいて前記第１送信電力を制御することを特徴とする通信システム。
【請求項２】
前記第１送信電力制御部が、送信する前記第１信号の状態に基づいて前記第１送信電力を調整することを特徴とする請求項１に記載の通信システム。
【請求項３】
前記第１送信電力用情報が、前記第１送信電力を増大させる要求または減少させる要求を示し得るものであり、
前記第１送信電力制御部が、前記第１送信電力用情報によって示される要求にしたがって、前記第１送信電力を制御することを特徴とする請求項１に記載の通信システム。
【請求項４】
前記第１送信電力制御部が、前記第１送信電力を所定の段階毎に制御することを特徴とする請求項１に記載の通信システム。
【請求項５】
前記第１通信装置が、
受信した前記第２信号の状態をＢＥＲ（Bit Error Rate）を利用して判定して第２送信電力用情報を生成する第１状態判定部と、
前記第２送信電力用情報を含む前記第１信号を生成する第１信号生成部と、をさらに備え、
前記第２通信装置が、
前記第２信号の送信電力である第２送信電力を制御する第２送信電力制御部をさらに備え、
前記第２送信電力制御部が、受信された前記第１信号から前記第２送信電力用情報を取得するとともに、当該第２送信電力用情報に基づいて前記第２送信電力を制御することを特徴とする請求項１に記載の通信システム。
【請求項６】
通信相手に無線で信号を送信する通信装置において、
前記信号の送信電力を制御する送信電力制御部と、
前記信号の送信状態をＢＥＲ（Bit Error Rate）を利用して検出する送信状態検出部と、を備え、
前記送信電力制御部が、前記送信状態に基づいて前記送信電力を制御することを特徴とする通信装置。
【国際調査報告】
2010123022.tif 000006
2010123022.tif 000007